(57)【要約】【課題】ペデスタルレベル電圧を効果的に検出する。【解決手段】第１，第２コンデンサ２２，２４は、偶数または奇数の一方の水平ラインの、復調された第１色信号について、そのＩＤ信号期間にのみ供給を受け、第１色信号のＩＤ信号電圧に充電される。第３，第４コンデンサ２６，２８は、ＩＤ信号期間以外の期間に第１，第２コンデンサ２２，２４の電荷を複数回受けることによって第１色信号のＩＤ信号電圧または第２色信号のＩＤ信号電圧に充電される。第３，第４コンデンサ２６，２８の電圧に応じて、第１および第２色信号のペデスタルレベル電圧を得る。【選択図】図１
2009111865.tif 000002
【特許請求の範囲】
【請求項１】
異なるペデスタルレベル周波数でＦＭ変調された第１および第２色信号が１水平ライン毎に順次で重畳されている方式の映像信号について、ＦＭ検波して、色信号を復調する色信号処理回路であって、
偶数または奇数の一方の水平ラインの、復調された第１色信号について、そのＩＤ信号期間にのみ供給を受け、第１色信号のＩＤ信号電圧に充電される第１コンデンサと、
偶数または奇数の他方の水平ラインの、復調された第２色信号について、そのＩＤ信号期間にのみ供給を受け、第２色信号のＩＤ信号電圧に充電される第２コンデンサと、
ＩＤ信号期間以外の期間に第１コンデンサに接続され、第１コンデンサに蓄積されている電荷を複数回受けることによって第１色信号のＩＤ信号電圧に充電される第３コンデンサと、
ＩＤ信号期間以外の期間に第３コンデンサに接続され、第３コンデンサに蓄積されている電荷を複数回受けることによって第２色信号のＩＤ信号電圧に充電される第４コンデンサと、
を有し、
第３コンデンサおよび第４コンデンサの電圧に応じて、第１および第２色信号のペデスタルレベル電圧を得ることを特徴とする色信号処理回路。
【請求項２】
前記第３コンデンサおよび第４コンデンサの電圧の中間電圧を求め、この中間電圧と復調された色信号の比較に基づいて、偶数および奇数の水平ラインの第１および第２色信号のいずれが重畳されているかを判定することを特徴とする色信号処理回路。
【発明の詳細な説明】
【技術分野】
【０００１】
本発明は、異なるペデスタルレベル周波数（センタ周波数）でＦＭ変調された第１および第２色信号が１水平ライン毎に順次で重畳されている方式の映像信号について、ＦＭ検波して、色信号を復調する色信号処理回路に関する。
【背景技術】
【０００２】
ＴＶ放送の方式として、ＳＥＣＡＭ方式があり、フランスや東ヨーロッパの国々などで採用されている。このＳＥＣＡＭ方式では、１水平ライン毎に、色差信号であるＲ−Ｙ信号とＢ−Ｙ信号が交互に重畳される。また、これらＲ−Ｙ信号、Ｂ−Ｙ信号はＦＭ変調されており、ペデスタルレベル周波数は、Ｒ−Ｙ信号で、４．４０６２５ＭＨｚ、Ｂ−Ｙ信号で４．２５ＭＨｚとなっている。
【０００３】
このように、ペデスタルレベル周波数が異なると、ＦＭ検波した後に得られるペデスタルレベル電圧がＲ−Ｙ信号と、Ｂ−Ｙ信号とで異なることになる。一方、表示に使用するＲＧＢ信号を得るためには、Ｒ−Ｙ信号、Ｂ−Ｙ信号ペデスタルレベル電圧を検出する必要がある。
【０００４】
ここで、ＳＥＣＡＭ方式の映像信号では、各水平ラインの始めの部分に、Ｒ−Ｙ、Ｂ−Ｙ信号の識別のためのＩＤ信号（ペデスタルレベル周波数信号）が挿入されている。そこで、このＩＤ信号を復調（ＦＭ検波）して、その電圧をサンプルホールドすることで、ペデスタルレベル電圧を得ることができる。
【０００５】
ところが、このＩＤ信号は、５μｓｅｃ程度と非常に短い期間しかなく、復調後のＩＤ信号の電圧をサンプルホールドすることは簡単ではない。例えば、従来より知られている電流駆動によるサンプルホールド回路では、十分なサンプルホールドができなかった。
【０００６】
そこで、特許文献１では、実際の表示についての信号が存在しない垂直ブランキング期間に、処理回路内で使用している、４．４３ＭＨｚおよび４ＭＨｚの信号を挿入し、これら信号の検波電圧を長時間ホールドし、これを分圧することで、Ｒ−Ｙ信号およびＢ−Ｙ信号のペデスタルレベル電圧を得ている。４．４３ＭＨｚの信号はＰＡＬ方式の映像信号におけるｆｓｃ（色搬送波の信号）であり、４ＭＨｚの信号は１水平ラインの周波数ｆＨの２５６倍の周波数の信号である。
【０００７】
【特許文献１】特開２００５−２５２８１６号公報
【発明の開示】
【発明が解決しようとする課題】
【０００８】
しかし、特許文献１の方式では、送られてくる映像信号中の信号ではなく、自己の回路内の別の信号を用い、その信号の周波数に基づいて、４．４０６２５ＭＨｚ、４．２５ＭＨｚの信号のＦＭ検波後の電圧を得ている。従って、送信側において、周波数がずれたりすると、それには対応することができない。その場合には、ホワイトバランスのずれとして表示が影響を受ける。さらに、受信している映像信号がＳＥＣＡＭ方式の信号であるか否かは、４．４０６２５ＭＨｚ、４．２５ＭＨｚの信号のＦＭ検波後の電圧の平均電圧を判別電圧として用い、これとＲ−Ｙ信号、Ｂ−Ｙ信号を比較して、水平ライン毎にペデスタルレベル電圧に変化があるかを判定して、ＳＥＣＡＭ方式か否かを判定している。しかし、映像信号における周波数変動があった場合に、この周波数変動の影響を受けない判定電圧を利用しているのでは正しい判定を行えない場合の生じる。
【課題を解決するための手段】
【０００９】
本発明は、異なるペデスタルレベル周波数でＦＭ変調された第１および第２色信号が１水平ライン毎に順次で重畳されている方式の映像信号について、ＦＭ検波して、色信号を復調する色信号処理回路であって、偶数または奇数の一方の水平ラインの、復調された第１色信号について、そのＩＤ信号期間にのみ供給を受け、第１色信号のＩＤ信号電圧に充電される第１コンデンサと、偶数または奇数の他方の水平ラインの、復調された第２色信号について、そのＩＤ信号期間にのみ供給を受け、第２色信号のＩＤ信号電圧に充電される第２コンデンサと、ＩＤ信号期間以外の期間に第１コンデンサに接続され、第１コンデンサに蓄積されている電荷を複数回受けることによって第１色信号のＩＤ信号電圧に充電される第３コンデンサと、ＩＤ信号期間以外の期間に第３コンデンサに接続され、第３コンデンサに蓄積されている電荷を複数回受けることによって第２色信号のＩＤ信号電圧に充電される第４コンデンサと、を有し、第３コンデンサおよび第４コンデンサの電圧に応じて、第１および第２色信号のペデスタルレベル電圧を得ることを特徴とする。
【００１０】
また、前記第３コンデンサおよび第４コンデンサの電圧の中間電圧を求め、この中間電圧と復調された色信号の比較に基づいて、偶数および奇数の水平ラインの第１および第２色信号のいずれが重畳されているかを判定することが好適である。
【発明の効果】
【００１１】
このように、本発明によれば、２つのコンデンサを利用して、ＩＤ信号のレベルを検出することで、ＳＥＣＡＭ方式の２つのペデスタル電圧を効果的に検出することができる。
【発明を実施するための最良の形態】
【００１２】
以下、本発明の実施形態について、図面に基づいて説明する。
【００１３】
図１は、一実施形態に係る色復調回路の構成を示す図である。映像信号における色信号の周波数帯の信号はＳＥＣＡＭ色復調回路１０に供給され、ここでＦＭ検波されて復調色信号が得られる。ここで、ＳＥＣＡＭ方式の色信号は、Ｒ−Ｙ信号で、４．４０６２５ＭＨｚ、Ｂ−Ｙ信号で４．２５ＭＨｚをペデスタルレベル周波数としており、従ってこのＳＥＣＡＭ色復調回路１０において復調された信号は、Ｒ−Ｙ信号のペデスタルレベル電圧は、４．４０６２５ＭＨｚに対応した電圧、Ｂ−Ｙ信号のペデスタルレベル電圧は４．２５ＭＨｚに対応した電圧になり、Ｒ−Ｙ信号のペデスタルレベル電圧がＢ−Ｙ信号のペデスタルレベル電圧に比べ高い電圧になる。復調色信号は、アンプ１２，１４を介し、第１スイッチ１６，第２スイッチ１８に供給される。
【００１４】
一方、映像中に含まれる水平同期信号が制御回路２０に供給される。図２に示すように、映像信号の水平同期信号の期間にはＩＤ信号が含まれており、そのＩＤ信号の期間が制御信号によって認識される。例えば、水平同期信号は一定期間低レベルになる信号であり、この低レベル期間の存在によって、１水平ラインの映像信号の区切りが認識される。そして、この低レベル期間（水平同期信号の期間）において、Ｒ−Ｙ信号が重畳される水平ラインにおいては、４．４０６２５ＭＨｚのＩＤ信号、Ｂ−Ｙ信号が重畳される水平ラインにおいては４．２５ＭＨｚのＩＤ信号が重畳される。制御回路２０においては、このＩＤ信号が重畳される期間を判定し、図２に示すように第１スイッチ１６および第２スイッチ１８を制御する。
【００１５】
スイッチ１６は、アンプ１２の出力を他端がグランドに接続された第１コンデンサ２２の一端に供給するか否かを制御する。すなわち、スイッチ１６は、制御回路２０によって奇数または偶数の水平ラインのＩＤ信号の期間において、アンプ１２の出力を第１コンデンサ２２の一端に接続する。
【００１６】
また、スイッチ１８は、アンプ１４の出力を他端がグランドに接続された第２コンデンサ２２の一端に供給するか否かを制御する。すなわち、スイッチ１８は、制御回路２０によって偶数または奇数の水平ラインのＩＤ信号の期間において、アンプ１２の出力を第１コンデンサ２４の一端に接続する。
【００１７】
ここで、ＩＤ信号の期間は、５μｓｅｃ程度である。そこで、第１および第２コンデンサ２２、２４の容量は１ｐＦ程度と小さなものに設定され、５μｓｅｃのアンプ１２の出力によって十分充電可能になっている。すなわち、この第１および第２コンデンサの容量は、復調されたＩＤ信号を供給することによって、十分充電され、復調されたＩＤ信号の電圧になる容量に設定される。
【００１８】
従って、第１コンデンサ２２には、Ｒ−Ｙ信号のＩＤ信号電圧に対応した充電が行われ、第２コンデンサ２４には、Ｂ−Ｙ信号のＩＤ信号に対応した充電が行われる。
【００１９】
スイッチ１６，１８の他端側には、他端がグランドに接続された第３コンデンサ２６および第４コンデンサ２８の一端が接続されている。スイッチ１６，１８は、ＩＤ信号が入力されてくる期間以外は、第１コンデンサ２２、第２コンデンサ２４の一端をそれぞれ第３コンデンサ２６、第４コンデンサ２８の一端にそれぞれ接続する。これによって、第１コンデンサ２２、第２コンデンサ２４に充電されている電荷が第３コンデンサ２６、第４コンデンサ２８に供給される。例えば、第３，第４コンデンサ２６，２８の容量は３２ｐＦ程度に設定されており、従って３２水平ラインにおける第１および第２コンデンサ２２，２４からの第３および第４コンデンサ２６，２８の電荷の移動によって、第３および第４コンデンサ２６，２８の充電電圧は、Ｒ−Ｙ信号のＩＤ信号電圧またはＢ−Ｙ信号のＩＤ信号に対応した電圧になる。第３および第４コンデンサ２６，２８の容量は、１フレームの充電によって、ＩＤ信号電圧になるような容量とすることが好ましい。これは、１フレーム程度の期間内であれば、実際の表示に対する影響がほとんどないからである。
【００２０】
このように、第１および第２コンデンサ２２，２４の容量が小さいため、復調後のＩＤ信号の５μｓｅｃという短い期間であっても、充電電圧をＩＤ信号の電圧に応じたものにできる。そして、この第１および第２コンデンサ２２，２４の充電電荷を比較的大きな容量の第３および第４コンデンサ２６，２８に輸送することで、第３、第４コンデンサ２６，２８にそれぞれのＩＤ信号の電圧（ペデスタルレベル電圧）を安定して得ることができる。
【００２１】
第３および第４コンデンサ２６，２８の充電電圧は、アンプ３０，３２を介し、それぞれＲ−Ｙペデスタルレベル電圧、Ｂ−Ｙペデスタルレベル電圧として出力される。また、アンプ３０とアンプ３２の出力の間には、２つの抵抗３４，３６の直列接続が配置されている。そして、この抵抗３４，３６の中点（両者のセンター電圧）はＳＥＣＡＭ判別回路３８に供給されている。
【００２２】
このＳＥＣＡＭ判別回路３８は、Ｒ−Ｙペデスタルレベル電圧と、Ｂ−Ｙペデスタルレベル電圧とのセンター電圧を利用して、復調された色信号がＳＥＣＡＭの信号であるかを判定する。すなわち、復調色信号は、上述のようにペデスタル方式レベル電圧が１水平ライン毎に変化するので、センター電圧を基準として、復調色信号のレベルが変化するかどうかで、ＳＥＣＡＭ方式か否かを判定することができる。すなわち、アンプ３０，３２の出力をそれらのセンター電圧と比較し、両者が所定の範囲で異なっていることで、ＳＥＣＡＭ方式であることを判定する。なお、復調色信号の全体または所定の場所のレベルを１ラインずつセンター電圧と比較することでもＳＥＣＡＭ方式かどうかの判定は可能である。
【００２３】
また、ＳＥＣＡＭ判別回路３８は、各水平ライン毎に、Ｒ−Ｙ信号と、Ｂ−Ｙ信号のいずれが重畳されているかを判定する。すなわち、ＩＤ信号の位置は水平同期信号から判定でき、１水平ライン毎に制御回路２０がスイッチ１６，１８を制御する。しかし、第１コンデンサ２２側と、第２コンデンサ２４側のそれぞれに、Ｒ−Ｙ信号またはＢ−Ｙ信号のいずれが供給されたかは、判定できない。しかし、第３および第４コンデンサ２６，２８が十分充電されれば、センター電圧との比較により、どの水平ラインにＲ−Ｙ信号、Ｂ−Ｙ信号が重畳されているかを判定できる。アンプ３０の出力の方がアンプ３２の出力より定電圧であれば、制御回路２０に送る信号を変更して、スイッチ１６，１８のスイッチタイミングを入れ替え、第１、第２コンデンサ２２，２４に供給される、Ｒ−Ｙ信号、Ｂ−Ｙ信号を入れ替えればよい。
【００２４】
このように、本実施形態では、復調した２つのＩＤ信号のＤＣレベルの中間を判定レベルに用いる。このため、映像信号における周波数が少しずれても、それにつれて判定レベルが変わるので、判定自体に問題が生じない。
【図面の簡単な説明】
【００２５】
【図１】実施形態の全体構成を示すブロック図である。
【図２】信号のタイミングを示す図である。
【符号の説明】
【００２６】
１０  色復調回路、  １２，１４，３０，３２  アンプ、１６  第１スイッチ、１８  第２スイッチ、２０  制御回路、２２  第１コンデンサ、２４  第２コンデンサ、２６  第３コンデンサ、２８  第４コンデンサ、３４，３６  抵抗、３８  判別回路。
【図１】
2009111865.tif 000003
【図２】
2009111865.tif 000004